(57)【要約】【課題】複数の受信部を備えた送受信機において、省スペース化及び低コスト化を実現するとともに操作性を向上させる。【解決手段】ＤＳＢ送受信機１は、２つの受信部（第１受信部２１及び第２受信部２２）と、１つの送信部２０と、１つの操作部１２と、操作先切替部２５と、を備える。第１受信部２１及び第２受信部２２は、それぞれが互いに異なるチャンネルの信号を受信可能である。送信部２０は、所定のチャンネルで信号を送信可能である。操作部１２は、第１受信部２１又は第２受信部２２のうち何れか１つの受信部を操作対象として操作を行うことができる。操作先切替部２５は、操作部１２による操作の対象となる操作対象受信部を、複数の前記受信部の間で切り替える。【選択図】図２
2010141798.tif 000002
【特許請求の範囲】
【請求項１】
それぞれが互いに異なるチャンネルの信号を受信可能な複数の受信部と、
所定のチャンネルで信号を送信可能な１つの送信部と、
前記複数の受信部のうち何れか１つの受信部を対象として操作を行うことが可能な１つの操作部と、
前記操作部による操作の対象となる受信部である操作対象受信部を、複数の前記受信部の間で切り替える操作先切替部と、
を備えることを特徴とする送受信機。
【請求項２】
請求項１に記載の送受信機であって、
前記送信部は前記操作対象受信部と同じチャンネルで信号を送信することを特徴とする送受信機。
【請求項３】
請求項１又は２に記載の送受信機であって、
前記操作対象受信部に関する情報を表示可能な表示部を備え、
当該表示部は、前記複数の受信部のうち前記操作対象受信部以外の受信部に関する情報を併せて表示可能であることを特徴とする送受信機。
【請求項４】
請求項１から３までの何れか一項に記載の送受信機であって、
前記操作対象受信部においてチャンネルのスキャンを開始した後、当該受信部が操作対象受信部でなくなるように前記操作先切替部で切り替えられた場合でも、当該受信部はスキャンを継続することを特徴とする送受信機。
【請求項５】
請求項４に記載の送受信機であって、
スキャンを行うチャンネルのリストを複数記憶可能なリスト記憶部を備え、
前記複数の受信部は、それぞれ異なる前記リストに基づいてチャンネルのスキャンを行うことが可能であることを特徴とする送受信機。
【発明の詳細な説明】
【技術分野】
【０００１】
本発明は、複数の受信部を備えた送受信機の構成に関する。
【背景技術】
【０００２】
従来から、信号によって搬送波の振幅を変化させたＡＭ波を用いて音声をやり取りするためのＤＳＢ送受信機が、例えば漁船等の船舶で用いられている。このＤＳＢ送受信機の構成については、例えば非特許文献１に記載されている。この種のＤＳＢ送受信機は一般的に、送信部と、受信部と、通信チャンネル等の設定を行うための操作パネルとを備えている。
【非特許文献１】提坂秀樹、大庭英雄共著，「テキストブック  無線通信機器」，第１１版，株式会社日本理工出版会，２００４年６月，ｐ．１１３−１２２
【発明の開示】
【発明が解決しようとする課題】
【０００３】
ところで、漁船用のＤＳＢ送受信機は、単に仲間船と通話を行う他にも、海上でやり取りされる通話を聞いて情報を集めるための情報収集ツールとして活用されている。そのため、複数のチャンネルを同時に受信したり、１つのチャンネルで通信を行いつつ他のチャンネルのスキャンを行ったりしたいという要望があった。
【０００４】
この点、通常の（送信部と受信部とを１つずつ備えた）送受信機の本体に対して、第２の受信部を外付けのオプション装置として接続することにより、２つのチャンネルを同時に受信可能とした送受信機も知られている。しかし、この第２の受信部は、外付けのオプションであるため独立したケースを有するとともに、チャンネルの設定等を行うための独立した操作パネルを有していたため、省スペース化及び低コスト化が困難であった。
【０００５】
また、上記の構成では、本体側と第２の受信部とではそれぞれ独立した操作パネルでチャンネルの設定を行うこととなるため、本体側の送信部と第２の受信部とでチャンネルを一致させる仕組みが無かった。このため、仮に第２の受信部で受信しているチャンネルで送信が必要になった場合は、本体側の操作パネルを操作して第２の受信部と同じチャンネルに合わせる迂遠で煩雑な操作を行わざるを得ず、特に緊急時に送信を行いたい場合などに操作を誤るおそれもあった。
【０００６】
本願発明は以上の事情に鑑みてされたものであり、その主要な目的は、複数の受信部を備えた送受信機において省スペース化及び低コスト化を実現するとともに、操作性が高い構成を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の送受信機が提供される。即ち、この送受信機は、複数の受信部と、１つの送信部と、１つの操作部と、操作先切替部と、を備える。前記複数の受信部は、それぞれが互いに異なるチャンネルの信号を受信可能である。前記送信部は、所定のチャンネルで信号を送信可能である。前記操作部は、前記複数の受信部のうち何れか１つの受信部を操作対象として操作を行うことが可能である。前記操作先切替部は、前記操作部による操作の対象となる前記受信部である操作対象受信部を、複数の前記受信部の間で切り替える。
【０００９】
これにより、操作対象とする受信部を必要に応じて切り替えることにより、複数の受信部に対する操作を１つの操作部で行うことができる。従って、複数の受信部を備えた送受信機を、小型かつ低コストで実現することができる。
【００１０】
前記の送受信機においては、前記送信部は前記操作対象受信部と同じチャンネルで信号を送信することが好ましい。
【００１１】
これにより、ユーザから見れば、現時点で操作している側の受信部のチャンネルに対して送信することになるので、直感的な操作が実現される。また、複数の送信部を備える必要が無いので、複数のチャンネルを受信可能な送受信機を低コストで実現することができる。
【００１２】
前記の送受信機は、前記操作対象受信部に関する情報を表示可能な表示部を備え、当該表示部は、前記複数の受信部のうち前記操作対象受信部以外の受信部に関する情報を併せて表示可能であることが好ましい。
【００１３】
これにより、表示部の表示を確認しながら、操作対象の受信部の操作を誤りなく確実に行うことができる。また、操作対象とする受信部を切り替えなくても、当該操作対象となっている受信部以外の受信部に関する情報を確認することができる。
【００１４】
前記の送受信機においては、前記操作対象受信部においてチャンネルのスキャンを開始した後、当該受信部が操作対象受信部でなくなるように前記操作先切替部で切り替えられた場合でも、当該受信部はスキャンを継続することが好ましい。
【００１５】
これにより、例えば、ある受信部で通信を行いつつ、これと並行して別の受信部でスキャンを実行することが可能となる。
【００１６】
前記の送受信機においては、スキャンを行うチャンネルのリストを複数記憶可能なリスト記憶部を備え、前記複数の受信部は、それぞれ異なる前記リストに基づいてチャンネルのスキャンを行うことが可能であることが好ましい。
【００１７】
これにより、複数の受信部でそれぞれ異なる範囲のチャンネルのスキャンを行うことができる。
【発明を実施するための最良の形態】
【００１８】
次に、発明の実施の形態を説明する。図１は本発明の一実施形態に係るＤＳＢ送受信機１の全体的な構成を示した斜視図である。図２は、ＤＳＢ送受信機１の機能ブロック図である。なお、図２において、実線の矢印は制御信号の流れ、点線の矢印は音声信号又は音声信号によって変調された高周波信号の流れを示している。
【００１９】
本実施形態に係る送受信機としてのＤＳＢ送受信機１は、両側波帯（Ｄｏｕｂｌｅ  Ｓｉｄｅ  Ｂａｎｄ、ＤＳＢ）と呼ばれる振幅変調波を用いた単信方式の送受信機である。このＤＳＢ送受信機１は船舶用とされており、本実施形態では漁船に搭載されている。このＤＳＢ送受信機１は、漁船が例えば船団を組んで操業する場合に、仲間船と相互に連絡をとり合うために用いられる。
【００２０】
ＤＳＢ送受信機１は、図２に示すように、マイク１４、スピーカ１６及びアンテナ１７を備えている。これらを図１に示す送受信機本体１０に接続することで、音声を送受信することができるように構成されている。
【００２１】
図１に示すように、前記マイク１４は、送信と受信とを切り替えるための切替スイッチ１５を備えている。この切替スイッチ１５は、押されることで送信側に切り替わるという意味のＰｕｓｈ  Ｔｏ  Ｔａｌｋの頭文字をとって、ＰＴＴスイッチと呼ばれることがある。
【００２２】
切替スイッチ１５は、図２に示す送受信切替部２３に電気的に接続されている。また、前記アンテナ１７としては適宜のものを用いることができ、例えば公知のホイップアンテナとすることができる。
【００２３】
図１に示すように、送受信機本体１０の正面側には平面状のパネルが備えられている。そして、このパネルには表示部１１と操作部１２とが配置されている。
【００２４】
また、図２に示すように、送受信機本体１０は制御部１９を備えている。この制御部１９は、演算部及び処理部としての図略のＣＰＵと、記憶部としてのＲＡＭ及びＲＯＭと、を備えている。前記ＲＯＭ等には、制御部１９が各部を制御するための手順が記述された制御プログラムが記憶されている。制御部１９は、上記のハードウェアとソフトウェアとの協働により、ＤＳＢ送受信機１の各構成の制御を行うように構成されている。
【００２５】
前記表示部１１は例えば液晶ディスプレイとして構成されており、ＤＳＢ送受信機１の稼動状況等に関する情報を確認のために表示できるようになっている。表示部１１の表示例を図３に示す。本実施形態では図３に示すように、例えば、現時点で通信に使用しているチャンネル番号１１ａ、電波の受信レベル１１ｂ、動作モード１１ｃなどが前記情報として表示される。
【００２６】
動作モード１１ｃの部分には、ＤＳＢ送受信機１が特別なモードで動作している場合に、当該モードが表示される。図３の例では、自動スケルチ（雑音制御）が有効になっていることを示す「スケルチ」が動作モード１１ｃの部分に表示されている。動作モード１１ｃの表示は様々であり、例えばスキャンの実行中においては、動作モード１１ｃの部分に「スキャン」等と表示されることになる。
【００２７】
また図３に示すように、表示部１１はＤＳＢ送受信機１に関する情報以外にも、例えば現在の日時１１ｆなど、各種便利な情報が表示可能に構成されている。また、表示部１１は送受信機本体１０に関する各種設定項目や各種操作項目等を階層式メニューで表示可能に構成されており、後述のチャンネルツマミ１２ｄによって当該メニューを選択することができる。
【００２８】
なお、前記制御部１９は、表示部１１に対して表示内容指示信号を出力することで、当該表示部１１の表示内容を適宜変更及び更新できるように構成されている。
【００２９】
図１に示すように、操作部１２には、複数の操作ボタンからなる操作ボタン群１２ａが配置されている。この操作ボタン群１２ａは、例えば、チャンネルのスキャンを行うための「スキャン」ボタン、受信感度を切り替えるための「感度」ボタン等により構成されている。また、操作部１２は、前記操作ボタン群１２ａを構成する操作ボタンの１つである受信部切替ボタン１３を備えている。この受信部切替ボタン１３の機能については後述する。
【００３０】
更に、操作部１２は、キャリア（Ｓ／Ｎ）スケルチの検出レベルを変更するためのスケルチツマミ１２ｂと、音声音量を変更するための音量ツマミ１２ｃと、受信チャンネルを変更するためのチャンネルツマミ１２ｄと、を備えている。ユーザは、図３のように表示部１１に表示されるチャンネル番号１１ａの内容を確認しながら前記チャンネルツマミ１２ｄを回すことで、複数のチャンネルの中から所望のチャンネルを選択することができる。
【００３１】
また、このチャンネルツマミ１２ｄは、前記表示部１１が表示する階層式メニューの項目を選択するための機能も有している。具体的には、ユーザは、所定の操作を行って表示部１１に前記メニューを表示した後、このチャンネルツマミ１２ｄを回転操作することにより、前記階層式メニューの中から所望の項目を選択することができる。またチャンネルツマミ１２ｄは押込操作が可能であり、この押込操作によって前記選択されたメニュー項目を「確定」する操作を行うことができるように構成されている。
【００３２】
なお、操作部１２の操作ボタン群１２ａ、スケルチツマミ１２ｂ、音量ツマミ１２ｃ、チャンネルツマミ１２ｄ等が操作されると、それに対応した操作信号が生成されて前記制御部１９に対して出力されるように構成されている。制御部１９は、前記操作信号を解析することにより、ユーザが行った操作を判断し、当該操作に対応した適切な処理を行うことができるように構成されている。
【００３３】
次に、送受信機本体１０の各部の構成について説明する。図２に示すように、送受信機本体１０は、前述の制御部１９と、送信部２０と、第１受信部２１と、第２受信部２２と、送受信切替部２３と、を備えている。
【００３４】
送信部２０は、マイク１４から入力される音声信号に基づいて高周波信号を変調させ、増幅してアンテナ１７に出力することにより、所定のチャンネル（周波数）で音声信号を送り出すように構成されている。なお、送信部２０が送信に使用するチャンネルは、制御部１９からの送信チャンネル指定信号に基づいて適宜変更可能に構成されている。
【００３５】
第１受信部２１及び第２受信部２２は、アンテナ１７から入力される信号に対して増幅、復調等の処理を行うことで、所定のチャンネル（周波数）で送信されてきた音声信号を取り出してスピーカ１６に出力するように構成されている。第１受信部２１と第２受信部２２は独立しており、互いに異なるチャンネルを受信することができる。なお、第１受信部２１及び第２受信部２２が受信に使用するチャンネルは、それぞれ、制御部１９からの受信チャンネル指定信号に基づいて適宜変更可能に構成されている。第１受信部２１と第２受信部２２にはそれぞれスピーカ１６が接続されており、２つの異なるチャンネルで受信した音声を同時に聞くことができるように構成されている。
【００３６】
なお、第２受信部２２はＤＳＢ送受信機１の機能を拡張するためのオプション装置として構成され、送受信機本体１０の筐体内部に確保された拡張用スペースに組み込まれている。なお、第２受信部２２を取り付けない標準の構成では、ＤＳＢ送受信機１は、受信部と送信部を１つずつ備えた通常の送受信機として機能する。
【００３７】
送受信切替部２３は、アンテナ１７に対して、送信部２０と、受信部（第１受信部２１及び第２受信部２２）と、を選択的に接続するためのスイッチ部である。この送受信切替部２３は切替スイッチ１５と連動しており、切替スイッチ１５が押されていないときはアンテナ１７と第１受信部２１及び第２受信部２２が接続され、信号の受信が行われる。切替スイッチ１５が押されると、アンテナ１７と送信部２０とが接続されるとともに、第１受信部２１及び第２受信部２２がアンテナ１７から切り離される。これにより送信部２０による信号の送信が可能になるとともに、送信部２０が出力する高出力の高周波を受信部２１，２２が受信してしまうことを防ぐことができる。
【００３８】
ところで、本実施形態のＤＳＢ送受信機１は、表示部１１、操作部１２、送信部２０がそれぞれ１つであるのに対し、受信部は、上記のように送受信機本体１０の内部に２つ備えられている。即ち、オプションである第２受信部２２を（外付けではなく）送受信機１０本体に内蔵することにより、２つ目の受信部に対して独立した表示部や操作部を設ける必要が無くなり、省スペース化及び低コスト化の点で有利な構成となっている。
【００３９】
しかし、この構成は、２つ目の受信部に対する操作手段を何らかの形で提供する必要がある。また、２つの受信部があることを特に意識することなく直感的に操作できるようにしたいという課題もあった。
【００４０】
この点、本実施形態ＤＳＢ送受信機１は、表側の受信部と裏側の受信部とを切替可能とすることで、上記の課題を解決している。ここで、表側の受信部とは、２つの受信部２１，２２のうち操作部１２による操作の対象となる受信部（フォアグラウンド側）をいい、裏側の受信部とは、操作の対象とならない受信部（バックグラウンド側）をいう。即ち、操作部１２によって２つの受信部２１，２２のうち何れか一方を選択して操作可能とすることで、１つの操作部１２で２つの受信部２１，２２に対する操作を行うことができるように構成されている。
【００４１】
以下、受信部２１，２２の表裏を切替可能とするための制御部１９の構成について説明する。前記制御部１９は、前記ＲＯＭに記憶された前記プログラムを実行することにより、表側受信部記憶部２４、操作先切替部２５、及び表示元切替部２６として機能するように構成されている。
【００４２】
表側受信部記憶部２４は、表側の受信部が、第１受信部２１又は第２受信部２２のうち何れであるかを記憶している。この表側受信部記憶部２４の記憶内容は、前述の受信部切替ボタン１３を押すことにより交互に変化するように構成されている。具体的には、表側受信部記憶部２４に記憶されている表側の受信部が第１受信部２１である場合に受信部切替ボタン１３を押すと、当該記憶内容が第２受信部２２となるように上書きされる。また逆に、当該表側受信部記憶部２４に記憶されている表側の受信部が第２受信部２２である場合には、受信部切替ボタン１３の操作により、当該記憶内容が第１受信部２１となるように上書きされる。
【００４３】
そして、操作先切替部２５は、ユーザが行った各種操作を、現時点で表側となっている受信部に対して適用するように構成されている。例えば、ユーザが受信チャンネルの変更を希望し、チャンネルツマミ１２ｄを操作したとする。すると、操作部１２から制御部１９に対して、チャンネル変更操作に対応する操作信号が出力される。当該操作信号を検知した操作先切替部２５は、表側受信部記憶部２４の記憶内容を参照し、第１受信部２１と第２受信部２２のうちどちらが表側となっているかを取得する。そして、操作先切替部２５は、表側の受信部に対してチャンネルを変更するように受信チャンネル指定信号を出力する一方で、裏側の受信部に対しては当該信号を出力しない。これにより、表側の受信部はチャンネルが変更され、裏側の受信部はそのままのチャンネルで受信を続行することになる。このほか、例えばスキャンの実行、スケルチレベルの設定など、操作部１２によって行われる受信部関連の操作は、表側の受信部に対してのみ適用されるように構成されている。
【００４４】
また、表示元切替部２６は、表示部１１に表側の受信部に関する情報を表示させるように構成されている。即ち、表示部１１は、第１受信部２１に関する情報と、第２受信部２２に関する情報と、の何れか一方を表示することができる。表示元切替部２６は、表側受信部記憶部２４の記憶内容を参照し、第１受信部２１と第２受信部２２のうちどちらが表側となっているかを取得する。そして、表示元切替部２６は、表側の受信部に関する情報を表示するように、表示部１１に対して表示内容指示信号を出力するように構成されている。
【００４５】
図３には、第１受信部２１が表側になっている場合における表示部１１の表示例が示されている。即ち、図３の例に示すチャンネル番号１１ａ、電波の受信レベル１１ｂ、及び動作モード１１ｃの部分に表示されている情報は、表側の受信部である第１受信部２１に関するものとなっている。そして、表示部１１に現在表示されている情報は第１受信部２１に関するものであることをユーザが認識できるように、表側受信部表示部１１ｄには「第１受信部」と表示されている。
【００４６】
この状態で受信部切替ボタン１３を押せば、表側の受信部と裏側の受信部が入れ替わって第２受信部２２が表側となるので、表示元切替部２６は、第２受信部２２に関する情報を表示するように表示部１１に対して表示内容指示信号を出力する。すると、第２受信部２２のチャンネル番号や受信レベル等が表示部１１に表示されるとともに、表側受信部表示部１１ｄに「第２受信部」と表示されることになる。
【００４７】
なお、表示部１１には裏側の受信部のチャンネル番号を付随的に小さく表示する裏側チャンネル表示部１１ｅが設けてあり、表側の受信部に関する情報を表示しつつ、裏側の受信部のチャンネルを確認することができるように構成されている。
【００４８】
以上のように構成されているので、表側の受信部と裏側の受信部とを切り替えることにより、１つの操作部１２で２つの受信部２１，２２を適切に操作することができる。また、受信部の表裏が切り替わるのに伴って表示部１１の表示も切り替わるように構成されているので、表示部１１に情報が表示されている受信部と、操作部１２による操作の対象となっている受信部と、が常に一致するようになっている。これにより、表示部１１の表示を確認しながら操作部１２による操作を行うことができるので、分かり易く直感的な操作が可能となっている。
【００４９】
そして、制御部１９は、送信部２０の送信チャンネルと、表側の受信部の受信チャンネルと、が同じチャンネルになるように制御している。具体的には、受信部切替ボタン１３が押されると、制御部１９は、新たに表側となった受信部の受信チャンネルと同じチャンネルで送信を行うように、送信部２０に対して送信チャンネル指示信号を出力する。また、表側の受信部のチャンネルが変更された場合は、送信部２０の送信チャンネルも同じチャンネルに変更すべく、当該送信部２０に対して送信チャンネル指示信号を出力する。
【００５０】
以上の構成により、送信部２０が送信を行うチャンネルは、常に、表側の受信部が受信しているチャンネルと一致することになる。即ち、送信部２０は、表示部１１に表示されているチャンネル番号で送信を行うようになるので、直接的で分かり易い操作が実現されている。また、操作部１２で受信チャンネル変更の操作を行えば、送信部２０の送信チャンネルも同時に変更されるので、直感的に操作を行うことができる。また、受信部の表裏を切り替えれば自動的に送信部２０のチャンネルも切り替わるので、受信部のチャンネルに合わせて送信部２０のチャンネルを変更する手間が不要になる。これにより、２つのチャンネルを同時に受信している場合であっても、送信の際にユーザが混乱することが無く、送信するチャンネルを間違ってしまうことを防止することができる。
【００５１】
次に、２つの受信部２１，２２によってチャンネルのスキャンを行うための構成について説明する。即ち、本実施形態のＤＳＢ送受信機１においては、表側の受信部に対してスキャンの実行の操作を行った場合は、当該表側の受信部が裏側に切り替えられたとしても、そのままスキャンが継続されるように構成されている。即ち、表側の受信部でスキャンを開始して、受信部の表裏を切り替えると、裏側の受信部でスキャンが継続されることになる。これにより、表側の受信部を用いて送受信を行いつつ、裏側の受信部ではスキャンを行うということが可能になる。また、裏側の受信部でスキャンを行っている状態で表側の受信部でスキャンを開始すれば、表側の受信部と裏側の受信部それぞれで並行的にスキャンを行うことも可能である。
【００５２】
また、制御部１９は、頻繁に使用するチャンネルのリストを記憶しておくことが可能なリスト記憶部２７としても機能するように構成されている。そして、リスト記憶部２７は、前記リストと、それぞれの受信部２１，２２と、を関連づけて記憶することができるように構成されている。制御部１９は、第１受信部２１又は第２受信部２２でスキャンが実行された際、当該受信部と前記リストとが関連づけて記憶されている場合は、当該リストに含まれるチャンネルのみを対象にしてスキャンを行うように制御する。これにより、全てのチャンネルをスキャンするのに比べて、所望のチャンネルのみを効率的にスキャンすることができる。また、リスト記憶部２７は、前記リストを複数記憶可能であり、第１受信部２１と第２受信部２２に対して異なるリストを関連づけることができるように構成されている。これにより、第１受信部２１と第２受信部２２とで異なる範囲のチャンネルをスキャンすることが可能となっている。
【００５３】
以上で説明したように、本実施形態のＤＳＢ送受信機１は、２つの受信部（第１受信部２１及び第２受信部２２）と、１つの送信部２０と、１つの操作部１２と、操作先切替部２５と、を備える。第１受信部２１及び第２受信部２２は、それぞれが互いに異なるチャンネルの信号を受信可能である。送信部２０は、所定のチャンネルで信号を送信可能である。操作部１２は、第１受信部２１及び第２受信部２２のうち何れか１つの受信部を操作対象として操作を行うことが可能である。操作先切替部２５は、操作部１２が操作対象とする前記受信部（表側の受信部、操作対象受信部）を、２つの受信部２１，２２の間で切り替える。
【００５４】
これにより、操作対象とする受信部を切り替えることにより、複数の受信部２１，２２に対する操作を１つの操作部１２で行うことができる。従って、複数の受信部２１，２２を備えたＤＳＢ送受信機１を、小型かつ低コストで実現することができる。
【００５５】
また、本実施形態のＤＳＢ送受信機１においては、送信部２０は、表側の受信部と同じチャンネルで信号を送信するように構成されている。
【００５６】
これにより、操作を行っているチャンネルに対して送信することになるので、直感的な操作を実現することができる。また、複数の送信部を備える必要が無いので、複数のチャンネルを受信可能なＤＳＢ送受信機１を低コストで実現することができる。
【００５７】
また、本実施形態のＤＳＢ送受信機１においては、表側の受信部に関する情報を表示可能な表示部１１を備え、当該表示部１１は、裏側の受信部に関する情報を併せて表示可能な裏側チャンネル表示部１１ｅを備えている。
【００５８】
これにより、表示部１１の表示を確認しながら、操作対象の受信部の操作を行うことができる。また、操作対象とする受信部を切り替えなくても、当該操作対象となっている受信部以外の受信部に関する情報を確認することができる。
【００５９】
また、本実施形態のＤＳＢ送受信機１においては、表側の受信部においてチャンネルのスキャンを開始した後、当該受信部が裏側に回るように操作先切替部２５で切り替えられた場合でも、当該受信部はスキャンを継続することが可能である。
【００６０】
これにより、例えば、一方の受信部で通信を行いつつ、これと並行して他方の受信部でスキャンを実行することが可能となる。
【００６１】
また、本実施形態のＤＳＢ送受信機１は、スキャンを行うチャンネルのリストを複数記憶可能なリスト記憶部２７を備え、第１受信部２１及び第２受信部２２は、それぞれ異なる前記リストに基づいてチャンネルのスキャンを行うことが可能である。
【００６２】
これにより、例えば、複数の受信部でそれぞれ異なる範囲のチャンネルのスキャンを行うことができる。
【００６３】
以上に本発明の好適な実施の形態を説明したが、上記の構成は例えば以下のように変更することができる。
【００６４】
上記実施形態では船舶用のＤＳＢ送受信機として構成された送受信機について説明したが、これに限らず、複数の受信部を備えた送受信機であれば本発明の構成を適用することができる。例えば、上記のＤＳＢ送受信機を、単側波帯（Ｓｉｎｇｌｅ  Ｓｉｄｅ  Ｂａｎｄ、ＳＳＢ）を用いたＳＳＢ送受信機に変更することができる。
【００６５】
上記の説明では、表示部１１には受信部２１，２２のチャンネル番号を表示するとしたが、これに代えて周波数を表示しても良いことは勿論である。また、制御部１９は、受信部２１，２２に対して受信チャンネル指示信号を、送信部２０に対して送信チャンネル指示信号を、それぞれ出力するとしたが、送受信の周波数を指示する信号を出力するように変更することもできる。
【００６６】
表示部１１や操作部１２の構成は上記のものに限らず、適宜変更することができる。また例えば表示部を液晶タッチパネルとすれば、表示部と操作部とを一体化することもできる。
【００６７】
第２受信部は前述のようにオプション装置とする構成に代えて、送受信機本体と一体不可分に設計されていても良い。また受信部の数は２つに限らず、例えば３つ以上の受信部を有する構成に変更することもできる。
【００６８】
上記実施形態では第１受信部及び第２受信部はそれぞれ音声信号を受信するとして説明したが、これに限らず、少なくとも何れか一方を例えばセルコール受信部又は注意信号受信部として利用することもできる。例えば第２受信部をセルコール受信部として利用すれば、第１受信部で通話を続けつつ、並行してセルコールを受信することができる。また、例えば第２受信部を注意信号受信部として利用すれば、第１受信部で通話を続けつつ並行して注意信号を受信できるのみでなく、自船から注意信号等を発信する場合には、受信部切替ボタンを押すだけで送信部のチャンネルが切り替わって注意信号のチャンネルで送信できるようになるので、特に緊急時に有効である。
【００６９】
スピーカは、必ずしも複数の受信部それぞれに１つずつ接続されていなくても良い。例えば、複数の受信部からの音声を合成して１つのスピーカで出力しても良いし、１つのスピーカに対する音声の出力元を切り替えて音を出すように構成しても良い。
【００７０】
リスト記憶部２７は複数の受信部に対してチャンネルのリストを関連づけることができる構成としたが、必ずしも受信部とリストとを関連づけて記憶しておく必要は無く、それぞれの受信部で互いに異なるチャンネルのリストに基づいてスキャンを行うことができれば良い。例えば、以下のように構成することが考えられる。即ち、リスト記憶部２７には、適宜の順番を付けて複数のリストを記憶しておく。そして、第１受信部及び第２受信部のうち、最初にスキャンの実行が指示された受信部は１番目のリストを参照してスキャンを実行し、次にスキャンの実行が指示された受信部は２番目のリストを参照してスキャンを実行する。この構成においても、複数の受信部が互いに異なるリストを参照してスキャンを行うので、効率良くスキャンを実行することができる。
【００７１】
また、必ずしもリストを記憶しなくても、複数の受信部で異なる範囲のチャンネルをスキャンすることができる。例えば、全波の１番目から５番目のチャンネルまでを第１受信部で、全波の６番目から１０番目のチャンネルを第２受信部で、それぞれ分担してスキャンするようにすれば、チャンネルをリスト形式で記憶しなくても、複数の受信部で異なる範囲のチャンネルをスキャンすることができる。
【図面の簡単な説明】
【００７２】
【図１】本発明の一実施形態に係るＤＳＢ送受信機が備える送受信機本体の外観斜視図。
【図２】ＤＳＢ送受信機の機能的な構成を示すブロック図。
【図３】表示部の表示例を示す説明図。
【符号の説明】
【００７３】
１  ＤＳＢ送受信機（送受信機）
１０  送受信機本体
１１  表示部
１２  操作部
１９  制御部
２０  送信部
２１  第１受信部
２２  第２受信部
２５  操作先切替部
【図１】
2010141798.tif 000003
【図２】
2010141798.tif 000004
【図３】
2010141798.tif 000005